(57)【要約】【課題】  監視映像データに重畳させて表示させる文字情報を、条件に応じて受信システム側の操作で容易に変更することが可能なＣＣＴＶ監視システムおよびＣＣＴＶ監視方法を提供する。【解決手段】  監視カメラから受信した映像データを符号化するともに、予め登録した複数の文字情報の中から、文字情報選択情報により選択された文字情報を符号化映像データに付加してネットワーク３０に送出する映像符号化装置１２−１、１２−２と、予め登録した選択指示パターンに基づいて映像符号化装置１２−１、１２−２に登録された文字情報選択情報を更新させるための文字情報選択指示を生成して映像符号化装置１２−１、１２−２に送信するとともに、映像符号化装置１２−１、１２−２から受信した符号化映像データを復号して付加されている文字情報を重畳した表示データを生成してモニタ２２−２〜２２−３に送信する映像復号装置２１−１〜２１−３とを備える。【選択図】  図１
2009290701.tif 000002
【特許請求の範囲】
【請求項１】
監視エリアを撮影する監視カメラに接続された映像データ送信装置と、監視映像を表示する表示装置に接続された映像データ受信装置とがネットワークを介して閉回路システムを構成するＣＣＴＶ監視システムにおいて、
前記映像データ送信装置は、
前記監視カメラで前記監視エリアが撮影され生成された映像データに重畳するための複数の文字情報と、これらの複数の文字情報の中から前記映像データ受信装置からの指示により現在選択されている文字情報を示す文字情報選択情報とを登録する文字情報登録部と、
前記監視カメラから、前記映像データを取得する映像データ取得部と、
前記文字情報登録部に登録された複数の文字情報の中から、前記文字情報選択情報により現在選択されている文字情報を重畳文字情報として抽出し、前記映像データ受信部で受信された映像データに、抽出した重畳文字情報を付加する文字情報付加処理部と、
前記重畳文字情報が付加された映像データを、前記ネットワークに送出するインタフェース部と、
を有し、
前記映像データ受信装置は、
前記複数の文字情報の中から一の文字情報を選択するための条件と、この条件ごとの前記文字情報の中から選択すべき文字情報の識別情報とを選択指示パターンとして登録する選択指示パターン登録部と、
前記選択指示パターン登録部に登録された選択指示パターンに基づいて、現在の状態に該当する前記選択すべき文字情報の識別情報を特定し、この特定した識別情報に基づいて、前記映像データ送信装置の文字情報登録部に登録されている文字情報の中から選択すべき文字情報を指示するための文字情報選択指示を生成する文字情報選択指示生成部と、
前記文字情報選択指示生成部で生成された文字情報選択指示に基づいて前記文字情報選択情報を更新させるために、前記文字情報選択指示を前記ネットワークを介して前記映像データ送信装置の文字情報登録部に送信する送信部と、
前記送信部から送信した前記文字情報選択指示に基づいて、前記映像データ送信装置のインタフェース部から前記ネットワークに送出された、前記重畳文字情報が付加された映像データを受信する受信部と、
前記受信部で受信された、前記重畳文字情報が付加された映像データから、前記映像データに前記重畳文字情報を重畳した表示データを生成し、前記表示装置に表示させるために送信する表示データ生成部と
を有する
ことを特徴とするＣＣＴＶ監視システム。
【請求項２】
監視エリアを撮影する監視カメラに接続された映像データ送信装置と、監視映像を表示する表示装置に接続された映像データ受信装置とがネットワークを介して閉回路システムを構成するＣＣＴＶ監視システムにおいて、
前記映像データ送信装置は、
前記監視カメラで前記監視エリアが撮影され生成された映像データに重畳するための複数の文字情報を登録する文字情報登録部と、
前記監視カメラから、前記映像データを取得する映像データ取得部と、
前記文字情報登録部に登録された複数の文字情報を重畳文字情報として、前記映像データ取得部で取得された前記映像データに付加する文字情報付加処理部と、
前記重畳文字情報が付加された映像データを、前記ネットワークに送出するインタフェース部と、
を有し、
前記映像データ受信装置は、
前記複数の文字情報の中から一の文字情報を選択するための条件と、この条件ごとの前記文字情報の中から選択すべき文字情報の識別情報とを選択指示パターンとして登録する選択指示パターン登録部と、
前記選択指示パターン登録部に登録された選択指示パターンに基づいて、現在の状態に該当する前記選択すべき文字情報の識別情報を特定する識別情報特定部と、
前記映像データ送信装置のインタフェース部から前記ネットワークに送出された、前記重畳文字情報が付加された映像データを受信する受信部と、
前記受信部で受信された映像データに付加されている重畳文字情報中の複数の文字情報のうち、前記識別情報特定部で特定された識別情報に該当する文字情報を抽出し、この抽出した文字情報を前記受信された映像データに重畳して表示データを生成し、前記表示装置に表示させるために送信する表示データ生成部と
を有する
ことを特徴とするＣＣＴＶ監視システム。
【請求項３】
監視エリアを撮影する監視カメラに接続された映像データ送信装置と、監視映像を表示する表示装置に接続された映像データ受信装置とがネットワークを介して閉回路システムを構成するＣＣＴＶ監視システムにおいて行われるＣＣＴＶ監視方法であって、
前記監視カメラで前記監視エリアが撮影され生成された映像データに重畳するための複数の文字情報を前記映像データ送信装置に登録する文字情報登録ステップと、
前記複数の文字情報の中から一の文字情報を選択するための条件と、この条件ごとの前記文字情報の中から選択すべき文字情報の識別情報とを、選択指示パターンとして前記映像データ受信装置に登録する選択指示パターン登録ステップと、
前記映像データ受信装置において、前記選択指示パターン登録ステップで登録された選択指示パターンに基づいて、現在の状態に該当する前記選択すべき文字情報の識別情報を特定し、この特定した識別情報に基づいて、前記映像データ送信装置に登録されている文字情報の中から選択すべき文字情報を指示するための文字情報選択指示を生成する文字情報選択指示生成ステップと、
前記映像データ受信装置において、前記文字情報選択指示生成ステップで生成された文字情報選択指示を前記ネットワークを介して前記映像データ送信装置に送信する文字情報選択指示送信ステップと、
前記映像データ送信装置において、文字情報登録ステップにおいて登録された複数の文字情報の中から前記映像データ受信装置から送信された文字情報選択指示により一の文字情報選択し、この選択された文字情報を示す文字情報選択情報を登録する文字情報選択情報登録ステップと、
前記映像データ送信装置において、前記監視カメラから前記映像データを取得する映像データ取得ステップと、
前記映像データ送信装置において、前記文字情報登録ステップにおいて登録された複数の文字情報の中から、前記文字情報選択情報により現在選択されている文字情報を重畳文字情報として抽出し、前記映像データ取得ステップで取得された映像データに、抽出した重畳文字情報を付加する文字情報付加処理ステップと、
前記映像データ送信装置において、前記重畳文字情報が付加された映像データを、前記ネットワークに送出する映像データ送出ステップと、
前記映像データ受信装置において、前記重畳文字情報が付加された映像データを受信する映像データ受信ステップと、
前記映像データ受信ステップで受信された、前記重畳文字情報が付加された映像データから、前記映像データに前記重畳文字情報を重畳した表示データを生成し、前記表示装置に表示させるために送信する表示データ生成ステップと
を有することを特徴とするＣＣＴＶ監視方法。
【請求項４】
監視エリアを撮影する監視カメラに接続された映像データ送信装置と、監視映像を表示する表示装置に接続された映像データ受信装置とがネットワークを介して閉回路システムを構成するＣＣＴＶ監視システムにおいて行われるＣＣＴＶ監視方法であって、
前記監視カメラで前記監視エリアが撮影され生成された映像データに重畳するための複数の文字情報を前記映像データ送信装置に登録する文字情報登録ステップと、
前記複数の文字情報の中から一の文字情報を選択するための条件と、この条件ごとの前記文字情報の中から選択すべき文字情報の識別情報とを、選択指示パターンとして前記映像データ受信装置に登録する選択指示パターン登録ステップと、
前記映像データ送信装置において、前記監視カメラから前記映像データを取得する映像データ取得ステップと、
前記映像データ送信装置において、前記文字情報登録ステップにおいて登録された複数の文字情報を重畳文字情報として、前記映像データ取得ステップで取得された映像データに、抽出した重畳文字情報を付加する文字情報付加処理ステップと、
前記映像データ送信装置において、前記重畳文字情報が付加された映像データを、前記ネットワークに送出する映像データ送出ステップと、
前記映像データ受信装置において、前記重畳文字情報が付加された映像データを受信する映像データ受信ステップと、
前記映像データ受信装置において、前記選択指示パターン登録ステップで登録された選択指示パターンに基づいて、現在の状態に該当する前記選択すべき文字情報の識別情報を特定する識別情報特定ステップと、
前記映像データ受信装置において、前記映像データ受信ステップで受信された映像データに付加されている重畳文字情報中の複数の文字情報のうち、前記識別情報特定ステップで特定された識別情報に該当する文字情報を抽出し、この抽出した文字情報を前記受信された映像データに重畳して表示データを生成し、前記表示装置に表示させるために送信する表示データ生成ステップと
を有することを特徴とするＣＣＴＶ監視方法。
【発明の詳細な説明】
【技術分野】
【０００１】
本発明は、ＣＣＴＶ（closed Circuit Television）監視カメラにより撮影された映像を符号化する映像符号化装置、またはＣＣＴＶ監視カメラにより撮影され符号化された映像を復号する映像復号装置を利用した、ＣＣＴＶ監視システムおよびＣＣＴＶ監視方法に関する。
【背景技術】
【０００２】
従来、防犯、防災、計測および記録などの目的で遠隔地を監視するためのシステムとして、ＣＣＴＶを利用した閉回路の監視システムがある。このＣＣＴＶ監視システムでは、撮影した映像データに監視場所などの文字情報を重畳して表示することがある。
【０００３】
従来のＣＣＴＶ監視システム１００の構成を図１６に示す。ＣＣＴＶ監視システム１００は、送信系システム１１０と受信系システム１２０とが、ネットワーク１３０を介して接続されることにより構成されている。
【０００４】
このＣＣＴＶ監視システム１００では、送信系システム１１０内の監視カメラ１１１−１または監視カメラ１１１−２で撮影された映像データが、それぞれのカメラ専用に設置された映像符号化装置１１２−１または映像符号化装置１１２−２で符号化されるとともに予め登録された文字情報が重畳され、ネットワーク１３０に送出される。送出された符号化された映像データは予め設定された映像復号装置１２１−１〜１２１−ｎのいずれかで復号された後、これらの映像復号装置１２１−１〜１２１−ｎにそれぞれ接続されたモニタ１２２−１〜１２２−ｎで受信され、重畳された文字情報とともに表示される。
【０００５】
図１６においては、例えば監視カメラ１１１−１で撮影され映像符号化装置１１２−１で符号化および文字情報の重畳が行われた映像データＡが、ネットワーク１３０を介して映像復号装置１２１−１および映像復号装置１２１−ｎで復号された後モニタ１２２−１およびモニタ１２２−ｎで文字情報とともに表示され、監視カメラ１１１−２で撮影され映像符号化装置１１２−２で符号化および文字情報の重畳が行われた映像データＢが、ネットワーク１３０を介して映像復号装置１２１−２で復号された後モニタ１２２−２で文字情報とともに表示される場合を示している。
【０００６】
このように構成された監視システムの一例として特許文献１に記載の技術があり、このシステムにより、監視カメラ毎の情報を文字情報として監視映像データに重畳して表示することができる。
【特許文献１】特開２００２−３５４４５５号公報
【発明の開示】
【発明が解決しようとする課題】
【０００７】
しかし、上述したようなＣＣＴＶ監視システム１００では、表示される文字情報は予め送信系システム１１０内の各映像符号化装置１１２−１、１１２−２に登録された１パターンのものであるため、一の監視カメラで撮影された映像データに対しては受信系システム１２０側のモニタでは常に同じ文字情報が表示されることになり、監視時間帯等の条件ごと、またはモニタごと等に表示する文字情報を変更させたい場合に、柔軟に対応できないという問題があった。
【０００８】
また、この従来のＣＣＴＶ監視システム１００において登録された文字情報の表示内容を変更するためには、受信系システム１２０内の設定端末（ＰＣ）１２３からブラウザ等を利用した設定画面で変更内容を変更の都度入力する必要があり、手間がかかるという問題があった。
【０００９】
よって本発明は、監視映像データに重畳させて表示させる文字情報を、条件に応じて受信システム側の操作で容易に変更することが可能なＣＣＴＶ監視システムおよびＣＣＴＶ監視方法を提供することを目的とする。
【課題を解決するための手段】
【００１０】
上記目的を達成するための本発明のＣＣＴＶ監視システムは、監視エリアを撮影する監視カメラに接続された映像データ送信装置と、監視映像を表示する表示装置に接続された映像データ受信装置とがネットワークを介して閉回路システムを構成しており、前記映像データ送信装置は、前記監視カメラで前記監視エリアが撮影され生成された映像データに重畳するための複数の文字情報と、これらの複数の文字情報の中から前記映像データ受信装置からの指示により現在選択されている文字情報を示す文字情報選択情報とを登録する文字情報登録部と、前記監視カメラから、前記映像データを取得する映像データ取得部と、前記文字情報登録部に登録された複数の文字情報の中から、前記文字情報選択情報により現在選択されている文字情報を重畳文字情報として抽出し、前記映像データ受信部で受信された映像データに、抽出した重畳文字情報を付加する文字情報付加処理部と、前記重畳文字情報が付加された映像データを、前記ネットワークに送出するインタフェース部とを有し、前記映像データ受信装置は、前記複数の文字情報の中から一の文字情報を選択するための条件と、この条件ごとの前記文字情報の中から選択すべき文字情報の識別情報とを選択指示パターンとして登録する選択指示パターン登録部と、前記選択指示パターン登録部に登録された選択指示パターンに基づいて、現在の状態に該当する前記選択すべき文字情報の識別情報を特定し、この特定した識別情報に基づいて、前記映像データ送信装置の文字情報登録部に登録されている文字情報の中から選択すべき文字情報を指示するための文字情報選択指示を生成する文字情報選択指示生成部と、前記文字情報選択指示生成部で生成された文字情報選択指示に基づいて前記文字情報選択情報を更新させるために、前記文字情報選択指示を前記ネットワークを介して前記映像データ送信装置の文字情報登録部に送信する送信部と、前記送信部から送信した前記文字情報選択指示に基づいて、前記映像データ送信装置のインタフェース部から前記ネットワークに送出された、前記重畳文字情報が付加された映像データを受信する受信部と、前記受信部で受信された、前記重畳文字情報が付加された映像データから、前記映像データに前記重畳文字情報を重畳した表示データを生成し、前記表示装置に表示させるために送信する表示データ生成部とを有することを特徴とする。
【００１１】
また、本発明の他形態のＣＣＴＶ監視システムは、監視エリアを撮影する監視カメラに接続された映像データ送信装置と、監視映像を表示する表示装置に接続された映像データ受信装置とがネットワークを介して閉回路システムを構成しており、前記映像データ送信装置は、前記監視カメラで前記監視エリアが撮影され生成された映像データに重畳するための複数の文字情報を登録する文字情報登録部と、前記監視カメラから、前記映像データを取得する映像データ取得部と、前記文字情報登録部に登録された複数の文字情報を重畳文字情報として、前記映像データ取得部で取得された前記映像データに付加する文字情報付加処理部と、前記重畳文字情報が付加された映像データを、前記ネットワークに送出するインタフェース部とを有し、前記映像データ受信装置は、前記複数の文字情報の中から一の文字情報を選択するための条件と、この条件ごとの前記文字情報の中から選択すべき文字情報の識別情報とを選択指示パターンとして登録する選択指示パターン登録部と、前記選択指示パターン登録部に登録された選択指示パターンに基づいて、現在の状態に該当する前記選択すべき文字情報の識別情報を特定する識別情報特定部と、前記映像データ送信装置のインタフェース部から前記ネットワークに送出された、前記重畳文字情報が付加された映像データを受信する受信部と、前記受信部で受信された映像データに付加されている重畳文字情報中の複数の文字情報のうち、前記識別情報特定部で特定された識別情報に該当する文字情報を抽出し、この抽出した文字情報を前記受信された映像データに重畳して表示データを生成し、前記表示装置に表示させるために送信する表示データ生成部とを有することを特徴とする。
【００１２】
また、本発明のＣＣＴＶ監視方法は、監視エリアを撮影する監視カメラに接続された映像データ送信装置と、監視映像を表示する表示装置に接続された映像データ受信装置とがネットワークを介して閉回路システムを構成するＣＣＴＶ監視システムにおいて行われるＣＣＴＶ監視方法であって、前記監視カメラで前記監視エリアが撮影され生成された映像データに重畳するための複数の文字情報を前記映像データ送信装置に登録する文字情報登録ステップと、前記複数の文字情報の中から一の文字情報を選択するための条件と、この条件ごとの前記文字情報の中から選択すべき文字情報の識別情報とを、選択指示パターンとして前記映像データ受信装置に登録する選択指示パターン登録ステップと、前記映像データ受信装置において、前記選択指示パターン登録ステップで登録された選択指示パターンに基づいて、現在の状態に該当する前記選択すべき文字情報の識別情報を特定し、この特定した識別情報に基づいて、前記映像データ送信装置に登録されている文字情報の中から選択すべき文字情報を指示するための文字情報選択指示を生成する文字情報選択指示生成ステップと、前記映像データ受信装置において、前記文字情報選択指示生成ステップで生成された文字情報選択指示を前記ネットワークを介して前記映像データ送信装置に送信する文字情報選択指示送信ステップと、前記映像データ送信装置において、文字情報登録ステップにおいて登録された複数の文字情報の中から前記映像データ受信装置から送信された文字情報選択指示により一の文字情報選択し、この選択された文字情報を示す文字情報選択情報を登録する文字情報選択情報登録ステップと、前記映像データ送信装置において、前記監視カメラから前記映像データを取得する映像データ取得ステップと、前記映像データ送信装置において、前記文字情報登録ステップにおいて登録された複数の文字情報の中から、前記文字情報選択情報により現在選択されている文字情報を重畳文字情報として抽出し、前記映像データ取得ステップで取得された映像データに、抽出した重畳文字情報を付加する文字情報付加処理ステップと、前記映像データ送信装置において、前記重畳文字情報が付加された映像データを、前記ネットワークに送出する映像データ送出ステップと、前記映像データ受信装置において、前記重畳文字情報が付加された映像データを受信する映像データ受信ステップと、前記映像データ受信ステップで受信された、前記重畳文字情報が付加された映像データから、前記映像データに前記重畳文字情報を重畳した表示データを生成し、前記表示装置に表示させるために送信する表示データ生成ステップとを有することを特徴とする。
【００１３】
また、本発明の他の形態のＣＣＴＶ監視方法は、監視エリアを撮影する監視カメラに接続された映像データ送信装置と、監視映像を表示する表示装置に接続された映像データ受信装置とがネットワークを介して閉回路システムを構成するＣＣＴＶ監視システムにおいて行われるＣＣＴＶ監視方法であって、前記監視カメラで前記監視エリアが撮影され生成された映像データに重畳するための複数の文字情報を前記映像データ送信装置に登録する文字情報登録ステップと、前記複数の文字情報の中から一の文字情報を選択するための条件と、この条件ごとの前記文字情報の中から選択すべき文字情報の識別情報とを、選択指示パターンとして前記映像データ受信装置に登録する選択指示パターン登録ステップと、前記映像データ送信装置において、前記監視カメラから前記映像データを取得する映像データ取得ステップと、前記映像データ送信装置において、前記文字情報登録ステップにおいて登録された複数の文字情報を重畳文字情報として、前記映像データ取得ステップで取得された映像データに、抽出した重畳文字情報を付加する文字情報付加処理ステップと、前記映像データ送信装置において、前記重畳文字情報が付加された映像データを、前記ネットワークに送出する映像データ送出ステップと、前記映像データ受信装置において、前記重畳文字情報が付加された映像データを受信する映像データ受信ステップと、前記映像データ受信装置において、前記選択指示パターン登録ステップで登録された選択指示パターンに基づいて、現在の状態に該当する前記選択すべき文字情報の識別情報を特定する識別情報特定ステップと、前記映像データ受信装置において、前記映像データ受信ステップで受信された映像データに付加されている重畳文字情報中の複数の文字情報のうち、前記識別情報特定ステップで特定された識別情報に該当する文字情報を抽出し、この抽出した文字情報を前記受信された映像データに重畳して表示データを生成し、前記表示装置に表示させるために送信する表示データ生成ステップとを有することを特徴とする。
【発明の効果】
【００１４】
本発明のＣＣＴＶ監視システムおよびＣＣＴＶ監視方法によれば、監視映像データに重畳させて表示させる文字情報を、条件に応じて受信システム側の操作で容易に変更することができる。
【発明を実施するための最良の形態】
【００１５】
《第１実施形態》
〈第１実施形態にＣＣＴＶ監視システムの構成〉
本発明の第１実施形態によるＣＣＴＶ監視システム１の構成について、図１を参照して説明する。
【００１６】
本実施形態によるＣＣＴＶ監視システム１は、送信系システム１０と、受信系システム２０とが、ネットワーク３０を介して接続されることにより構成されている。
【００１７】
送信系システム１０は、監視カメラ１１−１と、監視カメラ１１−１に接続されるとともにネットワーク３０に接続された映像データ送信装置としての映像符号化装置１２−１と、監視カメラ１１−２と、監視カメラ１１−２に接続されるとともにネットワーク３０に接続された映像データ受信装置としての映像符号化装置１２−２とを有する。
【００１８】
監視カメラ１１−１、１１−２は、それぞれの監視エリアを撮影して映像データを生成し、接続された映像符号化装置１２−１、１２−２に送信する。
【００１９】
映像符号化装置１２−１、１２−２は、図２に示すように、それぞれインタフェース部１２１と、文字情報登録部１２２と、映像データ受信部としての符号化処理部１２３と、文字情報付加処理部１２４とを有する。
【００２０】
インタフェース部１２１は、ネットワーク３０に接続され、自装置に登録する複数の文字情報を後述する設定端末２３から受信するとともにこの文字情報の中から現在選択すべき文字情報を指定する文字情報選択指示を映像復号装置２１−１〜２１−３のいずれかから受信して文字情報登録部１２２に送出し、また文字情報が重畳された映像データを文字情報付加処理部１２４から取得してネットワーク３０を介して映像復号装置２１−１〜２１−３のいずれかに送信する。
【００２１】
文字情報登録部１２２は、インタフェース部１２１から受信された複数の文字情報、およびこれらの複数の文字情報の中から文字情報選択指示により現在選択されている文字情報を示す文字情報選択情報を登録する。
【００２２】
本実施形態において、映像符号化装置１２−１の文字情報登録部１２２に登録された文字情報および文字情報選択情報の一例を図３（ａ）に示し、映像符号化装置１２−２の文字情報登録部１２２に登録された文字情報および文字情報選択情報の一例を図３（ｂ）に示す。
【００２３】
図３（ａ）に示すように、映像符号化装置１２−１の文字情報登録部１２２には、パターン１として文字情報「ＡＡＡ」が登録され、パターン２として文字情報「ＢＢＢ」が登録され、パターン３として文字情報「ＣＣＣ」が登録されており、さらにこれらの文字情報のうち、文字情報選択指示により現在はパターン１の文字情報「ＡＡＡ」が選択されている文字情報選択情報が登録されている状態を示している。
【００２４】
また、図３（ｂ）に示すように、映像符号化装置１２−２の文字情報登録部１２２には、パターン１として文字情報「ＤＤＤ」が登録され、パターン２として文字情報「ＥＥＥ」が登録され、パターン３として文字情報「ＦＦＦ」が登録されており、さらにこれらの文字情報のうち、文字情報選択指示により現在はパターン１の文字情報「ＤＤＤ」が選択されている文字情報選択情報が登録されている状態を示している。
【００２５】
符号化処理部１２３は、接続された監視カメラ１１−１または監視カメラ１１−２から送信された映像データを受信して符号化し、符号化映像データを生成する。
【００２６】
文字情報付加処理部１２４は、文字情報登録部１２２に登録された文字情報の中から、文字情報選択情報により現在選択されている文字情報を重畳文字情報として抽出し、符号化処理部１２３で符号化された符号化映像データに付加し、インタフェース部１２１に送出する。
【００２７】
映像符号化装置１２−１の文字情報付加処理部１２４で重畳文字情報が付加された符号化映像データの一例を、図４に示す。
【００２８】
図４では、符号化映像データ１３１に、現在選択されている文字情報であるパターン１の文字情報「ＡＡＡ」で構成された重畳文字情報１３２が付加された構成が示されている。
【００２９】
受信系システム２０は、ネットワーク３０に接続された３台の映像復号装置２１−１〜２１−３と、これらの映像復号装置２１−１〜２１−３にそれぞれ接続された表示装置としてのモニタ２２−１〜２２−３と、ネットワーク３０に接続された設定端末２３とを有する。
【００３０】
映像復号装置２１−１〜２１−３は、図５に示すように、それぞれ選択指示パターン登録部２１１と、文字情報選択指示生成部２１２と、送信部および受信部としてのインタフェース部２１３と、復号処理部２１４とを有する。
【００３１】
選択指示パターン登録部２１１は、映像符号化装置１２−１、１２−２の文字情報登録部１２２に登録された複数の文字情報の中から一の文字情報を選択するための条件として設定された所定時間帯ごとの、選択すべき文字情報の識別情報であるパターンＮｏ．を示す選択指示パターンを予め登録している。
【００３２】
本実施形態において、映像復号装置２１−１の選択指示パターン登録部２１１に登録された文字情報選択指示パターンの一例を図６（ａ）に示し、映像復号装置２１−２の選択指示パターン登録部２１１に登録された文字情報選択指示パターンの一例を図６（ｂ）に示す。
【００３３】
図６（ａ）に示すように、映像復号装置２１−１の選択指示パターン登録部２１１には、指示対象の映像符号化装置が監視カメラ１１−１に接続されていることが示され、時間帯「9:00〜17:00」にはパターン１の文字情報を選択することが登録され、時間帯「17:00〜24:00」にはパターン２の文字情報を選択することが登録され、時間帯「0:00〜9:00」にはパターン３の文字情報を選択することが登録されている状態を示す。
【００３４】
また、図６（ｂ）に示すように、映像復号装置２１−２の選択指示パターン登録部２１１には、指示対象の映像符号化装置が監視カメラ１１−２に接続されていることが示され、時間帯「9:00〜17:00」にはパターン１の文字情報を選択することが登録され、時間帯「17:00〜24:00」にはパターン２の文字情報を選択することが登録され、時間帯「0:00〜9:00」にはパターン３の文字情報を選択することが登録されている状態を示す。
【００３５】
文字情報選択指示生成部２１２は、自装置内の時計機能に基づいて現在時刻を取得し、選択指示パターン登録部２１１に登録されている選択指示パターンに基づいて、現在時刻に該当する選択指示条件のパターンＮｏ．を特定し、この特定したパターンＮｏ．に基づいて文字情報選択指示を生成する。
【００３６】
インタフェース部２１３は、文字情報選択指示生成部２１２で生成された文字情報選択指示を、ネットワーク３０を介して指示対象の映像符号化装置に送信し、また、ネットワーク３０を介して重畳文字情報が付加された符号化映像データを受信して復号処理部２１４に送出する。
【００３７】
復号処理部２１４は、インタフェース部２１３で受信された符号化映像データを復号して映像データとし、符号化映像データに付加されていた重畳文字情報内の文字情報を重畳して表示データを生成して接続されたモニタ２２−１〜２２−３に送信する。
【００３８】
モニタ２２−１〜２２−３は、それぞれ接続された映像復号装置２１−１〜２１−３から表示データを受信して表示する。
【００３９】
設定端末２３は、ＰＣ（personal computer）などであり、ネットワーク３０を介して映像符号化装置１２−１、１２−２内のそれぞれの文字情報登録部１２２に文字情報を登録し、必要に応じてこの文字情報を変更する。
【００４０】
〈第１実施形態にＣＣＴＶ監視システムの動作〉
次に、本実施形態によるＣＣＴＶ監視システム１の動作について説明する。
【００４１】
本実施形態において監視処理が行われる際には、予め各映像符号化装置の文字情報登録部１２２に、ネットワーク３０を介して設定端末２３から送信された、映像データに重畳する複数の文字情報と、ネットワーク３０を介していずれかの映像復号装置２１−１〜２１−３の中から送信された、登録された文字情報の中から現在選択すべき文字情報を指定する文字情報選択指示に基づく文字情報選択情報とが登録されている。本実施形態においては、図３（ａ）に示すようなパターン１〜３の文字情報およびパターン１の文字情報が選択されていることを示す文字情報選択情報が映像符号化装置１２−１のインタフェース部１２１を介して映像符号化装置１２−１の文字情報登録部１２２に登録され、図３（ｂ）に示すようなパターン１〜３の文字情報およびパターン１の文字情報が選択されていることを示す文字情報選択情報が映像符号化装置１２−２のインタフェース部１２１を介して映像符号化装置１２−２の文字情報登録部１２２に登録されているものとする。
【００４２】
また、監視カメラ１１−１で撮影されて生成された映像データＡはモニタ２２−１およびモニタ２２−３で表示され、監視カメラ１１−２で撮影されて生成された映像データＢはモニタ２２−２で表示されるように設定されているものとする。
【００４３】
このように各映像符号化装置に文字情報および文字パターンの選択状態が登録されている状態で監視処理が開始されると、送信系システム１０の監視カメラ１１−１、１１−２においてそれぞれ監視エリアが撮影されてそれぞれ映像データＡ、映像データＢが生成され、接続された映像符号化装置１２−１または映像符号化装置１２−２に送信される。
【００４４】
監視カメラ１１−１、監視カメラ１１−２から映像データＡ、映像データＢを受信した映像符号化装置１２−１、１２−２において実行される処理を、図７のフローチャートを参照して説明する。
【００４５】
まず、映像符号化装置１２−１では、監視カメラ１１−１から送信された映像データＡが符号化処理部１２３で受信されて符号化され、符号化映像データＡが生成される（Ｓ１）。
【００４６】
次に、文字情報付加処理部１２４において、文字情報登録部１２２に登録されている複数の文字パターンの中から現在選択されている状態の文字情報が重畳文字情報として抽出される（Ｓ２）。
【００４７】
ここでは、図３（ａ）に示すように、文字情報登録部１２２に登録されている文字情報の中でパターン１の文字情報「ＡＡＡ」が選択されているため、この文字情報「ＡＡＡ」が重畳文字情報として抽出される。
【００４８】
文字情報付加処理部１２４において重畳文字情報が抽出されると、この重畳文字情報が、ステップＳ２において生成された符号化映像データに付加され、図４に示すように構成される（Ｓ３）。
【００４９】
文字情報付加処理部１２４において重畳文字情報が付加された符号化映像データは、インタフェース部１２１からネットワーク３０に送出される（Ｓ４）。
【００５０】
同様に、監視カメラ１１−２において撮影された映像データＢも映像符号化装置Ｓ１２−２に送信され、重畳文字情報が抽出されて付加され、ネットワーク３０に送出される。
【００５１】
このように映像符号化装置１２−１、１２−２において重畳文字情報が付加された符号化映像データがネットワーク３０に送出されると、映像符号化装置１２−１で重畳文字情報が付加された符号化映像データＡは受信系システム２０の映像復号装置２１−１および２１−３で受信され、映像符号化装置１２−２で重畳文字情報が付加された符号化映像データＢは受信系システム２０の映像復号装置２１−２で受信される。
【００５２】
映像復号装置２１−１〜２１−３では、それぞれインタフェース部２１３において符号化映像データＡまたはＢが受信され、各復号処理部２１４に送出される。
【００５３】
復号処理部２１４では、インタフェース部２１３で受信された符号化映像データが映像データに復号され、付加されている重畳文字情報が重畳されて表示データが生成されて、接続されたモニタ２２−１〜２２−３に送信される。
【００５４】
モニタ２２−１〜２２−３では、それぞれ受信した表示データに基づいて、文字情報が重畳された監視エリアの映像データが表示され、監視員に提供される。
【００５５】
文字情報が重畳された監視エリアの映像データがモニタ２２−１に表示された状態の一例を、図８に示す。図８では、監視カメラ１１−１で撮影された映像データに、パターンＮｏ．１の文字情報「ＡＡＡ」が重畳されて表示されている。
【００５６】
このように、監視エリアの映像データが各モニタ２２−１〜２２−３に表示されている状態で、映像復号装置２１−１〜２１−３から送信される指示により、重畳される文字情報が変更されるときの映像復号装置２１−１〜２１−３の動作について、図９のフローチャートを参照して説明する。
【００５７】
この映像復号装置２１−１の選択指示パターン登録部２１１には、図６（ａ）に示すような、映像符号化装置１２−１の文字情報登録部１２２に登録された中から現在選択すべき文字情報を指示するための選択指示パターンが予め登録され、映像復号装置２１−２の選択指示パターン登録部２１１には、図６（ｂ）に示すような、映像符号化装置１２−２の文字情報登録部１２２に登録された中から現在選択すべき文字情報を指示するための選択指示パターンが予め登録されている（Ｓ１１）。
【００５８】
この選択指示パターンが選択指示パターン登録部２１１に登録されている状態で、文字情報選択指示生成部２１２では所定時間間隔で自装置内の時計機能に基づいて現在時刻が取得される（Ｓ１２）。
【００５９】
次に、文字情報選択指示生成部２１２において、選択指示パターン登録部２１１に登録されている文字情報選択指示パターンの中から、現在時刻に該当する選択指示条件のパターンＮｏ．が特定され、この特定されたパターンＮｏ．が前回特定したパターンＮｏ．と異なるときは、新たなパターンＮｏ．に基づいて文字情報選択指示が生成される（Ｓ１３）。
【００６０】
例えば、現在時刻が17:00を過ぎたときは、図６（ａ）または（ｂ）に従って特定されるパターンＮｏ．がＮｏ．１からＮｏ．２に変更され、この新たなパターンＮｏ．２に基づいて文字情報選択指示が生成される。
【００６１】
生成された文字情報選択指示は、インタフェース部２１３からネットワーク３０を介して指示対象の映像符号化装置１２−１または１２−２に送信され（Ｓ１４）、映像符号化装置１２−１または１２−２の文字情報登録部１２２内の文字情報選択情報が更新される。
【００６２】
例えば、ステップＳ１３において図６（ａ）のパターンＮｏ．２に基づいて文字情報選択指示が生成されたときには、図３（ａ）内のパターンＮｏ．１の状態が「非選択」に変更され、パターンＮｏ．２の状態が「選択」に変更されることにより、文字情報選択情報が更新される。
【００６３】
また、映像符号化装置１２−１または映像符号化装置１２−２の文字情報登録部１２２に登録された図３（ａ）、（ｂ）の各パターンＮｏ．の文字情報自体を変更したいときには、受信系システム２０内の設定端末２３からネットワーク３０を介して操作することにより変更することができる。
【００６４】
以上の第１実施形態によれば、監視映像の映像データに重畳させる文字情報のパターンを、予め監視映像データごとおよび時間帯ごとに登録した内容に応じて受信系システムから自動的に変更させることができ、また、登録した文字情報のパターンを受信系システムから所望の文字情報に手動で変更させることができる。
【００６５】
《第２実施形態》
〈第２実施形態にＣＣＴＶ監視システムの構成〉
本発明の第２実施形態によるＣＣＴＶ監視システム２の構成は、映像符号化装置１２−１および１２−２に替わって映像符号化装置１２−３および映像符号化装置１２−４が利用され、映像復号装置２１−１〜２１−３に替わって映像復号装置２１−４〜２１−６が利用されることを除いては、第１実施形態と同様であるため、同一部分の詳細な説明は省略する。
【００６６】
本実施形態の映像符号化装置１２−３、１２−４は、それぞれ図２に示す映像符号化装置１２−１、１２−２と同様に、それぞれインタフェース部１２１と、文字情報登録部１２２と、符号化処理部１２３と、文字情報付加処理部１２４とを有する。
【００６７】
本実施形態において、インタフェース部１２１は、ネットワーク３０に接続され、自装置に登録する複数の文字情報を後述する設定端末２３から受信して文字情報登録部１２２に送出し、また複数の文字情報が重畳された映像データを文字情報付加処理部１２４から取得してネットワーク３０を介して映像復号装置２１−４〜２１−６のいずれかに送信する。
【００６８】
文字情報登録部１２２は、インタフェース部１２１から受信された文字情報を登録する。
【００６９】
本実施形態において、映像符号化装置１２−３の文字情報登録部１２２に登録された文字情報の一例を、図１０（ａ）に示し、映像符号化装置１２−４の文字情報登録部１２２に登録された文字情報を図１０（ｂ）に示す。
【００７０】
図１０（ａ）に示すように、映像符号化装置１２−３の文字情報登録部１２２には、パターン１として文字情報「ＡＡＡ」が登録され、パターン２として文字情報「ＢＢＢ」が登録され、パターン３として文字情報「ＣＣＣ」が登録されている。
【００７１】
また、図１０（ｂ）に示すように、映像符号化装置１２−４の文字情報登録部１２２には、パターン１として文字情報「ＤＤＤ」が登録され、パターン２として文字情報「ＥＥＥ」が登録され、パターン３として文字情報「ＦＦＦ」が登録されている。
【００７２】
符号化処理部１２３は、接続された監視カメラ１１−１または監視カメラ１１−２から送信された映像データを受信して符号化し、符号化映像データを生成する。
【００７３】
文字情報付加処理部１２４は、符号化処理部１２３で符号化された符号化映像データに、文字情報登録部１２２に登録された複数の文字情報を重畳文字情報として付加し、インタフェース部１２１に送出する。
【００７４】
映像符号化装置１２−１の文字情報付加処理部１２４で重畳文字情報が付加された符号化データの一例を、図１１に示す。
【００７５】
図１１では、符号化映像データ１３１に、文字情報登録部１２２に登録されている文字情報であるパターン１の文字情報「ＡＡＡ」、パターン２の文字情報「ＢＢＢ」、およびパターン３の文字情報「ＣＣＣ」が含まれた重畳文字情報１３３が付加された構成が示されている。
【００７６】
また、本実施形態の映像復号装置２１−４〜２１−６は、図１２に示すように、それぞれ選択指示パターン登録部２１１と、インタフェース部２１３と、復号処理部２１４と、パターンＮｏ特定部２１５と、文字情報重畳部２１６とを有する。
【００７７】
選択指示パターン登録部２１１は、符号化映像データに付加されている重畳文字情報の中から一の文字情報を選択するための条件として設定された所定時間帯ごとの、文字情報の識別情報であるパターンＮｏ．を示す選択指示パターンを予め登録している。
【００７８】
本実施形態において、映像復号装置２１−４の選択指示パターン登録部２１１に登録された文字情報選択指示パターンの一例を図１３（ａ）に示し、映像復号装置２１−５の選択指示パターン登録部２１１に登録された文字情報選択指示パターンの一例を図１３（ｂ）に示し、映像復号装置２１−６の選択指示パターン登録部２１１に登録された文字情報選択指示パターンの一例を図１３（ｃ）に示す。
【００７９】
図１３（ａ）に示すように、映像復号装置２１−４の選択指示パターン登録部２１１には、指示対象の映像符号化装置が監視カメラ１１−１に接続されていることが示され、時間帯「9:00〜17:00」にはパターン１の文字情報を選択することが登録され、時間帯「17:00〜24:00」にはパターン２の文字情報を選択することが登録され、時間帯「0:00〜9:00」にはパターン３の文字情報を選択することが登録されている状態を示す。
【００８０】
また、図１３（ｂ）に示すように、映像復号装置２１−５の選択指示パターン登録部２１１には、指示対象の映像符号化装置が監視カメラ１１−２に接続されていることが示され、時間帯「9:00〜17:00」にはパターン１の文字情報を選択することが登録され、時間帯「17:00〜24:00」にはパターン２の文字情報を選択することが登録され、時間帯「0:00〜9:00」にはパターン３の文字情報を選択することが登録されている状態を示す
また、図１３（ｃ）に示すように、映像復号装置２１−６の選択指示パターン登録部２１１には、指示対象の映像符号化装置が監視カメラ１１−１に接続されていることが示され、時間帯「0:00〜9:00」にはパターン１の文字情報を選択することが登録され、時間帯「9:00〜17:00」にはパターン２の文字情報を選択することが登録され、時間帯「17:00〜24:00」にはパターン３の文字情報を選択することが登録されている状態を示す。
【００８１】
インタフェース部２１３は、ネットワーク３０を介して重畳文字情報が付加された符号化映像データを受信して復号処理部２１４に送出する。
【００８２】
復号処理部２１４は、インタフェース部２１３で受信された符号化映像データを復号して映像データとし、符号化映像データに付加されていた重畳文字情報とともに文字情報重畳部２１６に送出する。
【００８３】
パターンＮｏ特定部２１５は、自装置内の時計機能に基づいて現在時刻を取得し、選択指示パターン登録部２１１に登録されている選択指示パターンに基づいて、現在時刻に該当する選択指示条件のパターンＮｏ．を特定し、この特定したパターンＮｏ．を文字情報重畳部２１６に送出する。
【００８４】
文字情報重畳部２１６は、復号処理部２１４から取得した重畳文字情報の中から、パターンＮｏ特定部２１５で特定されたパターンＮｏ．の文字情報を抽出し、この文字情報を復号処理部２１４で復号された映像データに重畳して接続されたモニタ２２−１〜２２−３に送信する。
【００８５】
〈第２実施形態にＣＣＴＶ監視システムの動作〉
次に、本実施形態によるＣＣＴＶ監視システム２の動作について説明する。
【００８６】
本実施形態において監視処理が行われる際には、予め各映像符号化装置の文字情報登録部１２２に、ネットワーク３０を介して設定端末２３から送信された、映像データに重畳する複数の文字情報が登録されている。本実施形態においては、図１０（ａ）に示すようなパターン１〜３の文字情報が映像符号化装置１２−３のインタフェース部１２１を介して映像符号化装置１２−３の文字情報登録部１２２に登録され、図１０（ｂ）に示すようなパターン１〜３の文字情報が映像符号化装置１２−４のインタフェース部１２１を介して映像符号化装置１２−４の文字情報登録部１２２に登録されているものとする。
【００８７】
また、監視カメラ１１−１で撮影されて生成された映像データＡはモニタ２２−１およびモニタ２２−３で表示され、監視カメラ１１−２で撮影されて生成された映像データＢはモニタ２２−２で表示されるように設定されているものとする。
【００８８】
このように各映像符号化装置に文字情報が登録されている状態で監視処理が開始されると、送信系システム１０の監視カメラ１１−１、１１−２においてそれぞれ監視エリアが撮影されて映像データＡ、映像データＢが生成され、接続された映像符号化装置１２−１または映像符号化装置１２−２に送信される。
【００８９】
監視カメラ１１−１、監視カメラ１１−２から映像データＡ、映像データＢを受信した映像符号化装置１２−３、１２−４において実行される処理を、図１４のフローチャートを参照して説明する。
【００９０】
まず、映像符号化装置１２−３では、監視カメラ１１−１から送信された映像データＡが符号化処理部１２３で受信されて符号化され、符号化映像データＡが生成される（Ｓ２１）。
【００９１】
次に、符号化処理部１２３で符号化された符号化映像データＡに、文字情報登録部１２２に登録された文字情報で構成された重畳文字情報が文字情報付加処理部１２４において付加される（Ｓ２２）
文字情報付加処理部１２４において重畳文字情報が付加された符号化映像データは、インタフェース部１２１からネットワーク３０に送出される（Ｓ２３）。
【００９２】
同様に、監視カメラ１１−２において撮影された映像データＢも映像符号化装置Ｓ１２−４に送信され、重畳文字情報が抽出されて付加され、ネットワーク３０に送出される。
【００９３】
このように映像符号化装置１２−３、１２−４において重畳文字情報が付加された符号化映像データがネットワーク３０に送出されると、映像符号化装置１２−３で重畳文字情報が付加された符号化映像データＡは受信系システム２０の映像復号装置２１−４および２１−６で受信され、映像符号化装置１２−４で重畳文字情報が付加された符号化映像データＢは受信系システム２０の映像復号装置２１−５で受信される。
【００９４】
映像符号化装置１２−３および１２−４から符号化映像データを受信した映像復号装置２１−４〜２１−６において実行される処理を、図１５のフローチャートを参照して説明する。
【００９５】
この映像復号装置２１−４の選択指示パターン登録部２１１には、図１３（ａ）に示すような、映像符号化装置１２−１の文字情報登録部１２２に登録された中から現在選択すべき文字情報を指示するための選択指示パターンが予め登録され、映像復号装置２１−５の選択指示パターン登録部２１１には、図１３（ｂ）に示すような、映像符号化装置１２−１の文字情報登録部１２２に登録された中から現在選択すべき文字情報を指示するための選択指示パターンが予め登録され、映像復号装置２１−６の選択指示パターン登録部２１１には、図１３（ｃ）に示すような、映像符号化装置１２−１の文字情報登録部１２２に登録された中から現在選択すべき文字情報を指示するための選択指示パターンが予め登録されている（Ｓ３１）。
【００９６】
各映像復号装置２１−４〜２１−６では、ネットワーク３０に送出された符号化映像データＡまたはＢがインタフェース部２１３で受信され、復号処理部２１４に送出される（Ｓ３２）。
【００９７】
復号処理部２１４では、インタフェース部２１３で受信された符号化映像データＡまたはＢが映像データに復号され（Ｓ３３）、符号化映像データに付加されていた重畳文字情報とともに文字情報重畳部２１６に送出される。
【００９８】
一方、パターンＮｏ特定部２１５では、インタフェース部２１３で符号化映像データＡまたはＢが受信されたことが検知されると、自装置内の時計機能に基づいて現在時刻が取得される（Ｓ３４）。
【００９９】
次に、パターンＮｏ特定部２１５において選択指示パターン登録部２１１に登録されている文字情報選択指示パターンに基づいて、取得した現在時刻に該当する選択指示条件のパターンＮｏ．が特定され（Ｓ３５）、この特定されたパターンＮｏ．が文字情報重畳部２１６に送出される。
【０１００】
文字情報重畳部２１６では、復号処理部２１４から取得された重畳文字情報の中から、パターンＮｏ特定部２１５で特定されたパターンＮｏ．の文字情報が抽出され、この文字情報が復号処理部２１４で復号された映像データに重畳されて接続されたモニタ２２−１〜２２−３に送信される（Ｓ３６）。
【０１０１】
モニタ２２−１〜２２−３では、それぞれ受信した表示データに基づいて、文字情報が重畳された監視エリアの映像データが例えば図８のように表示され、監視員に提供される。
【０１０２】
また、第１実施形態と同様に、映像符号化装置１２−３または映像符号化装置１２−４の文字情報登録部１２２に登録された図１０（ａ）、（ｂ）の各パターンＮｏ．の文字情報自体を変更したいときには、受信系システム２０内の設定端末２３からネットワーク３０を介して操作することにより変更することができる。
【０１０３】
以上の第２実施形態によれば、監視映像の映像データに重畳させる文字情報のパターンを、予めモニタごとおよび時間帯ごとに登録した内容に応じて受信系システムで自動的に変更させることができ、また、登録した文字情報のパターンを受信系システムから所望の文字情報に手動で変更させることができる。
【０１０４】
なお、上記の第１および第２実施形態においては、映像符号化装置が２台、映像復号装置が３台の場合について説明したが、これには限定されず、それぞれ１台、２台、または４台以上で構成されていてもよい。
【０１０５】
また、上記の第1および第２実施形態においては、複数の文字情報の中から一の文字情報を選択するための条件として、複数の時間帯を設定した場合について説明したが、これには限定されず、災害時や非常時であることが検出されたときに所定の文字情報を選択させるように設定してもよい。
【図面の簡単な説明】
【０１０６】
【図１】本発明の第１実施形態および第２実施形態によるＣＣＴＶ監視システムの構成を示す全体図である。
【図２】本発明の第１実施形態によるＣＣＴＶ監視システムの映像符号化装置の構成を示すブロック図である。
【図３】本発明の第１実施形態によるＣＣＴＶ監視システムの映像符号化装置の文字情報登録部に登録された文字情報および文字情報選択情報の一例を示す表である。
【図４】本発明の第１実施形態によるＣＣＴＶ監視システムの映像符号化装置で生成された符号化映像データを構成を示す概念図である。
【図５】本発明の第１実施形態によるＣＣＴＶ監視システムの映像復号装置の構成を示すブロック図である。
【図６】本発明の第１実施形態によるＣＣＴＶ監視システムの映像復号装置の選択指示パターン登録部に登録された選択指示パターンの一例を示す表である。
【図７】本発明の第１実施形態によるＣＣＴＶ監視システムの映像符号化装置において符号化映像データを生成するときの動作を示すフローチャートである。
【図８】本発明の第１実施形態によるＣＣＴＶ監視システムのモニタに表示された表示データの一例を示す画面構成図である。
【図９】本発明の第１実施形態によるＣＣＴＶ監視システムの映像符号化装置の文字情報登録部に登録された文字情報選択情報を更新するときの動作を示すフローチャートである。
【図１０】本発明の第２実施形態によるＣＣＴＶ監視システムの映像符号化装置の文字情報登録部に登録された文字情報および文字情報選択情報の一例を示す表である。
【図１１】本発明の第２実施形態によるＣＣＴＶ監視システムの映像符号化装置で生成された符号化映像データを構成を示す概念図である。
【図１２】本発明の第２実施形態によるＣＣＴＶ監視システムの映像復号装置の構成を示すブロック図である。
【図１３】本発明の第２実施形態によるＣＣＴＶ監視システムの映像復号装置の選択指示パターン登録部に登録された選択指示パターンの一例を示す表である。
【図１４】本発明の第２実施形態によるＣＣＴＶ監視システムの映像符号化装置において符号化映像データを生成するときの動作を示すフローチャートである。
【図１５】本発明の第２実施形態によるＣＣＴＶ監視システムの映像復号装置において符号化映像データを受信したときの動作を示すフローチャートである。
【図１６】従来のＣＣＴＶ監視システムの構成を示す全体図である。
【符号の説明】
【０１０７】
１、２…ＣＣＴＶ監視システム
１０…送信系システム
１１−１、１１−２…監視カメラ
１２−１、１２−２…映像符号化装置
２０…受信系システム
２１−１、２１−２、２１−３…映像復号装置
２２−１、２２−２、２２−３…モニタ
２３…設定端末
３０…ネットワーク
１２１…インタフェース部
１２２…文字情報登録部
１２３…符号化処理部
１２４…文字情報付加処理部
１３１…符号化映像データ
１３２、１３３…重畳文字情報
２１１…選択指示パターン登録部
２１２…文字情報選択指示生成部
２１３…インタフェース部
２１４…復号処理部
２１５…パターンＮｏ特定部
２１６…文字情報重畳部
【図１】
2009290701.tif 000003
【図２】
2009290701.tif 000004
【図３】
2009290701.tif 000005
【図４】
2009290701.tif 000006
【図５】
2009290701.tif 000007
【図６】
2009290701.tif 000008
【図７】
2009290701.tif 000009
【図８】
2009290701.tif 000010
【図９】
2009290701.tif 000011
【図１０】
2009290701.tif 000012
【図１１】
2009290701.tif 000013
【図１２】
2009290701.tif 000014
【図１３】
2009290701.tif 000015
【図１４】
2009290701.tif 000016
【図１５】
2009290701.tif 000017
【図１６】
2009290701.tif 000018